(57)【特許請求の範囲】
【請求項１】
支持体と、支持体の片面に設けられた、被着体からの剥離に際して被着体に粘着剤や支持体の一部を残すことなく剥離することのできる程度の粘着力を有する粘着剤とから構成される封緘用粘着テープまたはラベルであって、前記支持体が、背面となる着色透明プラスチックフィルムと、粘着剤面となる前記フィルムとは異なる色相または色調でかつ明度が低い着色プラスチックフィルムとの２層からなり、これらのフィルムの少なくともいずれかのフィルムの片面に剥離性透明印刷表示層を設け、該表示層を設けた面が前記フィルムの２層の貼り合わせ面となるように接着剤層で貼り合わせた積層基材であって、前記積層基材が、積層基材の層間部位の所望の箇所の接着力を被着体から剥がす時の粘着力よりも小さな接着力となるようにして積層され、被着体からの剥離に際してフィルムと剥離性透明印刷表示層部位の間もしくはフィルムの剥離性透明印刷表示層部位と接着剤層の間に層間剥離を生じさせ、該層間剥離部位に剥離性透明印刷表示層の形状をかたどった空気層を発現させ、再貼着した場合、可視的に該部位において剥離前同一であった周辺色とは異なる色相または色調での表示形状を現出するような構成を有することを特徴とする封緘用粘着テープまたはラベル。
【請求項２】
支持体と、支持体の片面に設けられた、被着体からの剥離に際して被着体に粘着剤や支持体の一部を残すことなく剥離することのできる程度の粘着力を有する粘着剤とから構成される封緘用粘着テープまたはラベルであって、前記支持体が、背面となる着色透明プラスチックフィルムと、中間層となる所望の表示形状を片面もしくは両面に透明剥離剤で印刷表示した透明または着色透明プラスチックフィルムと、粘着剤面となる前記背面の着色透明フィルムとは異なる色相または色調でかつ明度が低い着色プラスチックフィルムとの３層からなり、各フィルムの層間がそれぞれ接着剤で貼り合わされた積層基材であって、前記積層基材が、積層基材の層間部位の所望の箇所の接着力を被着体から剥がす時の粘着力よりも小さな接着力となるようにして積層され、被着体からの剥離に際して中間層の透明または着色透明プラスチックフィルムとその剥離性透明印刷表示面の間もしくは透明プラスチックフィルムの剥離性透明印刷表示面と接着剤の間に層間剥離を生じさせ、該層間剥離部位に剥離性透明印刷表示層の形状をかたどった空気層を発現させ、再貼着した場合、可視的に該部位において剥離前同一であった周辺色とは異なる色相または色調での表示形状を現出するような構成を有することを特徴とする封緘用粘着テープまたはラベル。
【請求項３】
前記着色透明プラスチックフィルムが着色剤を練り混んだ着色透明プラスチックフィルム、または透明プラスチックフィルムの少なくとも一面に着色透明層を設けた着色透明プラスチックフィルムであることを特徴とする請求項１または２に記載の封緘用粘着テープまたはラベル。
【請求項４】
前記表示形状が帯形、線形、円形、角形、文字、数字、記号、図柄、絵柄、マークまたはこれらの組み合わせであることを特徴とする請求項１〜３のいずれかに記載の封緘用粘着テープまたはラベル。
【発明の詳細な説明】
【０００１】
【発明の属する技術分野】
本発明は様々な材質の箱、袋、容器等の封緘位置に貼着する封緘用粘着テープまたはラベルに関するものであり、特に不正開封防止を目的として使用する封緘用粘着テープまたはラベルに関する。
【０００２】
【従来の技術】
従来、この種の粘着テープまたはラベル（以下粘着テープと総称する。）としては、粘着テープの支持体の片面に粘着剤層を有するものであって、該テープを被着体より剥がしたとき、その剥離強力により支持体が歪みを起こし、再貼着した場合には元の寸法形状と異なるため、不正開封を見破ることができるタイプのものが第一例としてあげられる。
【０００３】
また、粘着テープの透明支持体の一面に図柄等を形成する着色層を設け、この層面に粘着剤層を設けたものであって、被着体より該テープを剥がしたときに着色層が破壊されてその一部が被着体に残り、再貼着した場合には、破壊部分が完全に一致せず、これにより不正開封を見破るタイプのものが第二例としてあげられる。
【０００４】
さらに、着色透明支持体の片面の一部に図柄等の皮膜層を設け、さらにその層に支持体の色調とは異なる印刷層を設け、その印刷層面に粘着剤層を設けたものであって、被着体より該テープを剥がすとき、図柄等の皮膜層は支持体より抜け落ちて被着体に残るが、この際、テープ側に残る印刷層及び粘着剤層は伸ばされ、引きちぎられるような変形した形状となるため、再貼着した場合には、テープ側と被着体側の破壊部分が完全に一致せず重なったり、余ったりして、元の色調と異なる色調が破壊部分周辺に現出し、これにより、不正開封を見破るタイプのものが第三例としてあげられる。
【０００５】
しかしながら、これら従来タイプのものは第一例のものでは、被着体に粘着剤や着色層（印刷層）は残らないものの、支持体の歪みを不正開封防止の手段としているため、粘着テープを故意にゆっくりと支持体に張力をかけないように被着体より引き剥がした場合などでは支持体の変形（歪み）が判別しにくいという欠点を有する。特に被着体への粘着力が糊残りしないように低く設計されている場合はこの欠点が顕著である。次に第二例、第三例では第一例に比べ、不正開封の発見は容易になるが、粘着テープを剥がして実使用に及んだ時、被着体の開口部分に粘着剤の一部や着色層（印刷層）の一部が残るため、特に飲料用容器や薬用瓶などが被着体である場合は、食品や薬の安全衛生の点はもとより、清潔感の点からも使用に供しがたいという重大な欠点を有する。
【０００６】
【発明が解決しようとする課題】
本発明は、かかる従来技術の欠点に鑑み、封緘用粘着テープにおける理想的な形態へ到達しようとするものであり、その目的は封緘用粘着テープに「被着体からの剥離に際して被着体に粘着剤や着色層（印刷層）を含む支持体の一部を全く残さず、しかも再貼着した場合には、元の色とは異なる色相または色調で表示形状が現出し、すでに一度開封したことが、誰の目にも明瞭かつ容易に判別できる」ような機能を付与することにある。
【０００７】
【課題を解決するための手段】
本発明者はかかる目的を達成するために粘着剤層及び支持体の積層基材の構造について鋭意検討した結果、本発明の完成に至った。
即ち、本発明は支持体と、支持体の片面に設けられた、被着体からの剥離に際して被着体に粘着剤や支持体の一部を残すことなく剥離することのできる程度の粘着力を有する粘着剤とから構成される封緘用粘着テープまたはラベルであって、前記支持体が少なくとも背面となるフィルムを着色透明プラスチックフィルムとした異なる色相または色調を有する２枚以上の着色プラスチックフィルムを積層した積層基材からなり、前記積層基材が、積層基材の層間部位の所望の箇所の接着力を被着体から剥がす時の粘着力よりも小さな接着力となるようにして積層され、被着体からの剥離に際して積層基材間に部分的な層間剥離を生じ、該層間剥離部位に空気層を発現して、再貼着した場合、可視的に該部位において剥離前同一であった周辺色とは異なる色相または色調での表示形状を現出するような構成を有することを特徴とする封緘用粘着テープまたはラベルである。
【０００８】
また、本発明の好ましい封緘用粘着テープまたはラベルの態様では、前記支持体が、背面となる着色透明プラスチックフィルムと、粘着剤面となる前記フィルムとは異なる色相または色調でかつ明度が低い着色プラスチックフィルムとの２層からなり、これらのフィルムの少なくともいずれかのフィルムの片面に剥離性透明印刷表示層を設け、該表示層を設けた面が前記フィルムの２層の貼り合わせ面となるように接着剤層で貼り合わせた積層基材であって、被着体からの剥離に際してフィルムと剥離性透明印刷表示層部位の間もしくはフィルムの剥離性透明印刷表示層部位と接着剤層の間に層間剥離を生じさせ、該層間剥離部位に剥離性透明印刷表示層の形状をかたどった空気層を発現させ、再貼着した場合、可視的に該部位において剥離前同一であった周辺色とは異なる色相または色調での表示形状を現出する。
【０００９】
また、本発明の好ましい封緘用粘着テープまたはラベルの態様では、前記支持体が、背面となる着色透明プラスチックフィルムと、中間層となる所望の表示形状を片面もしくは両面に透明剥離剤で印刷表示した透明または着色透明プラスチックフィルムと、粘着剤面となる前記背面の着色透明フィルムとは異なる色相または色調でかつ明度が低い着色プラスチックフィルムとの３層からなり、各フィルムの層間がそれぞれ接着剤で貼り合わされた積層基材であって、被着体からの剥離に際して中間層の透明または着色透明プラスチックフィルムとその剥離性透明印刷表示面の間もしくは透明プラスチックフィルムの剥離性透明印刷表示面と接着剤の間に層間剥離を生じさせ、該層間剥離部位に剥離性透明印刷表示層の形状をかたどった空気層を発現させ、再貼着した場合、可視的に該部位において剥離前同一であった周辺色とは異なる色相または色調での表示形状を現出する。
【００１０】
【発明の実施の形態】
本発明の封緘用粘着テープまたはラベルは、例えば図１Ａ，１Ｂ，１Ｃ、図２Ａ，２Ｂ，２Ｃ、図３Ａ，３Ｂ，３Ｃ、図４Ａ，４Ｂ，４Ｃに示すように、支持体６と、その支持体の片面に設けられた、被着体からの剥離に際して被着体に粘着剤や支持体の一部を残すことなく剥離することのできる程度の粘着力を有する粘着剤５とから構成されるものである。
【００１１】
本発明の封緘用粘着テープまたはラベルに使用される支持体としては、図１Ａ，１Ｂ，１Ｃ、図２Ａ，２Ｂ，２Ｃに示すような、背面となる着色透明プラスチックフィルム１，７と、粘着剤面となる前記フィルム１，７とは異なる色相または色調でかつ明度が低い着色プラスチックフィルム４，７，８との２層からなり、いずれかのフィルムの片面の所望の箇所に所望の形状を有する剥離性透明印刷表示層３を設け、剥離性透明印刷表示層３を設けた面が前記フィルムの２層の貼り合わせ面となるように接着剤層２で貼り合わせた積層基材６や、図３Ａ，３Ｂ，３Ｃ、図４Ａ，４Ｂ，４Ｃに見られるような、背面となる着色透明プラスチックフィルム１，７と、中間層となる所望の表示形状を片面もしくは両面に透明剥離剤で印刷表示した透明または着色透明プラスチックフィルム９と、粘着剤面となる前記背面のフィルム１，７とは異なる色相または色調でかつ明度が低い着色プラスチックフィルム４，８との３層からなり、各フィルムの層間がそれぞれ接着剤（層）２で貼り合わされた積層基材が挙げられる。
【００１２】
さらに、本発明封緘用粘着テープの一例の断面図を示す図１Ａ，１Ｂ，１Ｃ及び図２Ａ，２Ｂ，２Ｃについて詳述すると、これらの本発明粘着テープは支持体６と、支持体６の片面に設けられた剥離に際して被着体側に粘着剤や印刷層を含む支持体の一部を残すことなく剥離できる程度の粘着力を有する粘着剤５とから構成されるものであって、該支持体６は図１Ａ，１Ｂ，１Ｃと図２Ａに示すような背面となる着色剤練り混みの着色透明プラスチックＸフィルム１もしくは図２Ｂ，２Ｃに示されるような透明プラスチックＡフィルム７ａの一面に着色透明印刷層７ｂを設けて着色透明とした着色透明プラスチックＹフィルム７と、図１Ａ，１Ｂ，１Ｃと図２Ｂに示すような前記着色透明プラスチックＸ，Ｙフィルム（１，７）とは異なる色相または色調でかつ明度の低い着色剤練り混みの着色プラスチックＭフィルム４もしくは図２Ａ，２Ｃに示すような透明プラスチックＡまたはＢフィルム７ａ，８ａの片面に着色印刷層７ｂ，８ｂを設けた着色プラスチックＮフィルム８とを接着剤２で貼り合わせた２層からなる。
【００１３】
尚、粘着剤塗布側のフィルムとして用いる着色プラスチックフィルム（４，７，８）は透明性を有する着色プラスチックフィルム７であってもよいし、不透明な着色プラスチックフィルム４，８のいずれであってもよく、その選択は背面フィルムより明度が低くかつ色相または色調が異なるものであればどのような着色プラスチックフィルムでも選択できる。
【００１４】
また、貼り合わされる２枚の着色プラスチックフィルム、例えば１と４，１と７，７と８の少なくとも一方のフィルムの貼り合わせ面の所望の箇所には剥離剤で所望の表示形状に印刷表示された剥離性透明印刷表示層３がフィルム同志を貼り合わせる前にあらかじめ設けられている。
【００１５】
なお、着色（透明）印刷層７ｂ，８ｂを設けた着色（透明）プラスチックフィルム７，８を用いる場合の剥離性透明印刷表示層３の位置は特に制限はないが、塗布作業工程の簡便さの点からはフィルムの印刷層７ｂ，８ｂ面に設ける方が望ましい。剥離性透明印刷表示層３を設けた例としては、粘着剤塗布側のフィルムとして用いる着色プラスチックＭフィルム４の貼り合わせ面に剥離性透明印刷表示層３を設けた例（図１Ａ）、背面側のフィルムとして用いる着色透明プラスチックＸフィルム１の貼り合わせ面に剥離性透明印刷表示層３を設けた例（図１Ｂ）、及び着色透明プラスチックＸフィルム１と着色プラスチックＭフィルム４の双方の貼り合わせ面に剥離性透明印刷表示層３をそれぞれ設けた例（図１Ｃ）がある。また、プラスチック透明Ａフィルム７ａに設けた着色透明印刷層７ｂを貼り合わせ面とし、この面に剥離性透明印刷表示層３を設けた例（図２Ａ，２Ｂ）、及び背面側フィルムとして用いる透明プラスチックＡフィルム７ａの着色透明印刷層７ｂ面と粘着剤塗布側フィルムとして用いる透明ブラスチックＢフィルム８ａの着色印刷層８ｂ面を双方の貼り合わせ面とし、このそれぞれの面に剥離性透明印刷表示層３を設けた例（図２Ｃ）がある。
【００１６】
このように２枚のフィルム、例えば１と４，１と７，７と８の貼り合わせ面にあらかじめ設けられる剥離性透明印刷表示層３の形成には、被着体からの剥離において剥離性透明印刷表示面３の接着力が本発明粘着テープの対被着体粘着力よりも小さな接着力となるような透明な剥離ワニス等の剥離剤が用いられる。
【００１７】
また、２枚のフィルム、例えば１と４，１と７，７と４，７と８を貼り合わせる接着剤２は、透明性があって、本発明粘着テープの被着体からの剥離時に２枚のフィルムがバラバラにならない程度の接着力を有するものであればどのようなタイプのものであってもよい。
【００１８】
このようにして得られる本発明封緘用粘着テープの外観色は当然のことながら背面側の着色透明プラスチックフィルム、例えばＸ，Ｙフィルム（１，７）と粘着剤塗布側の着色プラスチックフィルム、例えばＭ，Ｙ，Ｎフィルム（４，７，８）の混合色となっている。一方、図５に示すように、本発明粘着テープは被着体１１からの剥離に際して剥離における対被着体粘着力より小さな接着力を有する、剥離性透明印刷表示層３と接着剤層２の間もしくは剥離性透明印刷表示層３を設けたフィルム部位１，４，７ｂ，８ｂ（図５では４）と剥離性透明印刷表示層３の間において剥離性透明印刷表示層３の表示形状をかたどった層間剥離が生じ、粘着テープサイド部から浸入した空気により該層間剥離部位に剥離性透明印刷表示層３形状の空気層１０を発現する。
【００１９】
そしてこのような空気層１０を発現した本発明粘着テープを図６のように再貼着した場合、空気層１０が発現した部位は空気層１０で粘着剤塗布側の着色プラスチックフィルム、例えばＭ，Ｙ，Ｎフィルム４，７，８（図６では４）の色を遮断するため背面側に用いられている透明着色プラスチックフィルム１自体の色が浮き出ることになり、剥離前同一であった周辺色とは全く異なる色相または色調となり、この結果可視的にあらかじめ剥離剤で印刷表示した所望の表示形状を現出させることができる。
【００２０】
なお、ここでいう表示形状とは図６に示すような帯形状をはじめとして、線形状、円形状、角形状、文字、数字、記号、図柄、絵柄、マーク及びこれらの組み合わせ等、印刷表示できる形状であればどのような所望の形状でもよい。また、ここでいう異なる色相とは色違いを指し、異なる色調とは色の濃淡の違いを指し、色の明度とは色の明るさ暗さの程度をいい、例えば明度が低いとは明るさがより暗いものをいう。
【００２１】
次に、本発明封緘用粘着テープの他例の断面図を示す図３Ａ，３Ｂ，３Ｃ、図４Ａ，４Ｂ，４Ｃについて詳述すると、これらの本発明粘着テープは背面側となる図３Ａ，３Ｂ，３Ｃ及び図４Ｃに示すような着色剤練り混みの着色透明プラスチックＸフィルム１もしくは図４Ａ，４Ｂに示すような透明プラスチックＡフィルム７ａの片面に着色透明印刷層７ｂを設けて着色透明Ｙフィルム７とした着色透明プラスチックＸ，Ｙフィルム１，７と、中間層となる透明または着色透明プラスチックＣフィルム９と、粘着剤塗布側となる図３Ａ，３Ｂ，３Ｃ及び図４Ａに示されるような前記背面側の着色透明Ｘ，Ｙフィルム１，７とは異なる色相または色調でかつ明度が低い着色剤練り混みの着色プラスチックＭフィルム４または図４Ｂ，４Ｃに示されるようなプラスチック透明Ｂフィルム８ａの片面に着色印刷層８ｂを設けた着色プラスチックＮフィルム８との３層構造からなる。
【００２２】
ここにおいて、中間層となる透明または着色透明プラスチックＣフィルム９のいずれかの片面もしくは両面には透明剥離剤で所望の表示形状、例えば帯形状、線形状、円形状、角形状、文字、数字、記号、図柄、絵柄、マーク及びこれらの組み合わせ等の表示形状が背面側フィルム（１，７）、中間層（９）、粘着剤塗布側フィルム（４，８）の貼り合わせに先だってあらかじめ印刷表示されている。
【００２３】
また、各フィルムは透明接着剤２で貼り合わされるが、図４Ａ，４Ｂ，４Ｃに示される透明プラスチックＡフィルム７ａまたは透明プラスチックＢフィルム８ａの片面に着色透明印刷層７ｂまたは着色印刷層８ｂを設けて着色透明プラスチックフィルム７，８としたフィルムを用いる場合、中間層となる透明プラスチックＣフィルム９との貼り合わせ面は図４Ａに示すようにフィルムの印刷面であっても、図４Ｂ，４Ｃに示すようにフィルムの非印刷面のいずれの面であっても差し支えない。
【００２４】
さらに、各フィルムを貼り合わせる接着剤２は図１Ａ〜図２Ｃの場合と同様に透明性があって、本粘着テープを被着体から剥離させるときに各フィルムがバラバラにならない程度の接着力を有するものであればどのようなタイプのものであってもよい。
【００２５】
また、中間層として用いる透明または着色透明Ｃフィルム９の片面もしくは両面に設けられる剥離性透明印刷表示層３の形成には、図１Ａ〜図２Ｃに用いられるものと同様の透明な剥離ワニス等の剥離剤が用いられるが、該表示層３の接着力は図１Ａ〜図２Ｃの場合と同様どのような場合であっても本発明粘着テープが被着体１１からの剥離に際して発現する対被着体粘着力よりも小さな接着力となるように設計されなければならない。
【００２６】
このようにして得られた本発明封緘用粘着テープの外観色は支持体６の背面側となる着色透明プラスチックＸフィルム１または着色透明プラスチックＹフィルム７の色相・色調と粘着剤塗布側フィルムとなる着色プラスチックＭフィルム４または着色プラスチックＮフィルム８の色相・色調を混色した混合色（中間層が着色透明フィルムの場合は３者の混合色）となっている。一方、図７に示すように、本発明粘着テープは被着体１１からの剥離に際して剥離における対被着体粘着力よりも小さな接着力を有する、剥離性透明印刷層３と接着剤層２の間もしくは剥離性透明印刷表示層３と透明または着色透明プラスチックＣフィルム９との間において層間剥離が生じ、該層間剥離部位に剥離性透明印刷表示層３の形状をかたどった空気層１０を発現する。
【００２７】
このような空気層１０を発現した本発明粘着テープを図８のように再貼着した場合、空気層１０が発現した部位は空気層１０で粘着剤塗布側の着色プラスチックＸ，Ｙフィルム４の色を遮断するため、その箇所においては背面側に用いられている透明着色プラスチックフィルム１，７自体の色が浮き出ることになり、剥離前同一であった周辺色とは全く異なる色相または色調となり、この結果可視的にあらかじめ剥離剤で印刷表示した所望の表示形状例えば図８に示すような文字を現出させることができる。
【００２８】
なお、図１Ａ，１Ｂ，１Ｃ、図２Ａ，２Ｂ，２Ｃ、図３Ａ，３Ｂ，３Ｃ、図４Ａ，４Ｂ，４Ｃのいずれの例にも認められるように背面側となる着色透明プラスチックＸ，Ｙフィルム１，７の色相・色調・明度は粘着剤５の塗布面側となる着色プラスチックＭ，Ｙ，Ｎフィルム４，７，８の色相または色調とは異なる色相・色調でかつ明度の高いものとすることが必要であるが、その理由は背面側となる着色透明プラスチックＸ，Ｙフィルム１，７の色の明度を粘着剤５の塗布面側となる着色プラスチックＭ，Ｙ，Ｎ透明フィルム４，７，８の明度より低いものとした場合には、背面側となる着色透明プラスチックＸ，Ｙフィルム１，７の色相または色調が粘着剤塗布面側のフィルム４，７，８より強く出る結果、貼着時の色相または色調は背面側フィルム１，７の色相または色調に支配され、剥離した後の再貼着において空気層１０の介在において現れる剥離性透明印刷表示層３の形状をかたどった表示形状１２の色相または色調との区別がつきにくくなり、不正開封の判別が容易にできにくいからである。また、背面側の着色透明プラスチックフィルム１，７と粘着剤塗布面側の着色プラスチックフィルム４，７，８を同じ色相または色調としないのも同様の理由による。従って、色の組み合わせにおいて、背面側に用いられる着色透明フィルム１，７の色は粘着剤塗布面側に用いる着色フィルム４，７，８の色に比べて、より淡色でより明るい色が用いられる。
【００２９】
なお、本発明で用いる粘着剤５は固形系、溶剤系、水系、ホットメルト系、オリゴマー系のゴム系、熱可塑性ゴム系、アクリル系、親水性ポリマー系など、被着体１１に対して粘着剤５や支持体６の一部が残らない程度の粘着力を有する粘着剤５であるならばいずれのものでもよい。
【００３０】
さらに、本発明の粘着テープの支持体６の製造方法は、従来公知のいずれの方法でもよく、例えば通常のフィルム印刷技術の応用により簡単で安価に製造することができる。また粘着剤５も従来公知の方法で簡単に支持体６に塗布することができる。この場合、本発明の粘着テープの支持体の総厚及び粘着剤の厚さはそれぞれ２０μｍ〜１００μｍ，１０μｍ〜５０μｍであることが好ましい。また、本発明の粘着体の支持体に用いられるプラスチックフィルムとしては、ポリエチレンテレフタレート、ナイロン、ポリオレフィン、塩ビ等のプラスチックフィルムを挙げることができるが、これに限定されるものではない。なお、上述の説明ではもっぱら封緘用粘着テープについて説明したが、封緘用粘着ラベルにももちろん応用することができる。
【００３１】
【実施例】
実施例１
背面側となる厚さ２０μｍの着色透明ＰＥＴフィルムと粘着剤塗布面側となる厚さ２０μｍの着色ＰＥＴフィルムとを準備し、これらのフィルムのいずれかの片面または双方の片面に幅約５ｍｍの帯状の剥離性透明印刷表示層を設け、さらに剥離性透明印刷表示層面側を貼り合わせ面にして透明接着剤で貼り合わせて、表１の構成に示す積層基材６種を得た。この６種の積層基材をそれぞれ支持体にしてこれらにアクリル系粘着剤２０μｍを塗布して幅１０ｍｍ長さ５０ｍ対スチール粘着力７．５Ｎ／１０ｍｍの封緘用粘着テープを得た。このテープの一部を用いてスチール管の被着体に貼着した後、被着体よりゆっくりと剥離して剥離後の被着体面を観察した後、剥離した封緘用粘着テープを被着体に再貼着した。このような実験から得られた評価結果は表１の通りであった。
【００３２】
【表１】
0004968991.tif 000002
【００３３】
実施例２
背面側となる厚さ１２μｍの着色透明ＰＥＴフィルム（黄、青）と厚さ１２μｍの中間層となる透明ＰＥＴフィルムと、粘着剤塗布面側となる厚さ１２μｍの着色ナイロンフィルム（赤）とを準備し、中間層となる透明ＰＥＴフィルムの片面もしくは両面に線状とアルファベット文字「ＶＯＩＤ」を組み合わせた剥離性透明印刷表示層を設けると共に、これらのフィルムを透明接着剤で貼り合わせて表２の構成に示す積層基材６種を得た。この６種の積層基材をそれぞれ支持体にしてこれらにアクリル系粘着剤２０μｍを塗布して幅１０ｍｍ長さ５０ｍ対スチール粘着力７．０Ｎ／１０ｍｍの封緘用粘着テープを得た。このテープの一部を用いてスチール管の被着体に貼着した後、被着体よりゆっくりと剥離して剥離後の被着体面を観察した後、剥離した封緘用粘着テープを被着体に再貼着した。このような実験から得られた評価結果は表２の通りであった。
【００３４】
【表２】
0004968991.tif 000003
【００３５】
表１，表２の結果から認められるように、本発明封緘用粘着テープは被着体に粘着剤等が残ることなく、しかも不正開封の発見が極めて容易な粘着テープであった。
【００３６】
【発明の効果】
本発明の封緘用粘着テープは上述のような構成を有するので以下のような効果を奏することができる。
▲１▼  被着体に粘着剤や着色層（印刷層）を含む支持体の一部などが全く残らない。従って、安全衛生や清潔感を重視する食品や薬品の容器の封緘テープとして有用である。
▲２▼  被着体より剥離するとき、支持体が歪むようにするなど支持体に対する特別な工夫がいらない。
▲３▼  被着体からの剥離により所望の積層基材間部位に層間隔離を生じさせ、該部位に空気層を発現させることにより、可視的に剥離前同色であった周辺色とは異なる色相または色調での所望の表示形状を極めて容易に現出することができる。
▲４▼  再貼着した場合、テープの背面色とは異色の表示形状が粘着テープの背面に速やかに現出するため不正開封の発見が極めて容易である。
▲５▼  製造方法が簡単で安価に供給できる。
【図面の簡単な説明】
【図１】着色透明プラスチックフィルムと着色プラスチックフィルムの２枚をテープ支持体とした本発明封緘用粘着テープの一例を示す実施例であり、
図１Ａは、剥離性透明印刷表示層を粘着剤を塗布するプラスチックフィルム側の片面に設けた場合の実施例を示す断面図、
図１Ｂは、剥離性透明印刷表示層を背面となるプラスチックフィルム側の片面に設けた場合の実施例を示す断面図、
図１Ｃは、剥離性透明印刷表示層を背面となるプラスチックフィルム側の片面と粘着剤を塗布するプラスチックフィルム側の片面の双方に設けた場合の実施例を示す断面図である。
【図２】着色透明プラスチックフィルムと着色透明プラスチックフィルム（もしくは着色プラスチックフィルム）との２枚をテープ支持体とした本発明封緘用粘着テープの他例を示す実施例であり、
図２Ａは、着色透明プラスチックフィルムの粘着剤を塗布するプラスチックフィルム側の片面（印刷面側）に剥離性透明印刷表示層を設けた場合の実施例を示す断面図、
図２Ｂは、着色透明プラスチックフィルムの背面プラスチックフィルム側の片面（印刷面側）に剥離性透明印刷表示層を設けた場合の実施例を示す断面図、
図２Ｃは、着色透明プラスチックフィルムの背面プラスチックフィルム側の片面（印刷面側）と着色透明プラスチックフィルムの粘着剤を塗布するプラスチックフィルム側の片面（印刷面側）の双方に剥離性透明印刷表示層を設けた場合の実施例を示す断面図である。
【図３】背面側となる着色透明プラスチックフィルムと中間層となる透明または着色透明のプラスチックフィルムと粘着剤塗布側となる着色透明プラスチックフィルムの３枚をテープ支持体とした本発明封緘用粘着テープの一例を示す実施例であり、
図３Ａは、背面側となる着色透明プラスチックフィルムと中間層となる透明または着色透明のプラスチックフィルムの貼り合わせ面に剥離性透明印刷表示層が位置するように中間層のプラスチックフィルムの片面に当該表示層を設けた場合の実施例を示す断面図、
図３Ｂは、粘着剤塗布側となる着色プラスチックフィルムと中間層プラスチックフィルムの貼り合わせ面に剥離性透明印刷表示層が位置するように中間層のプラスチックフィルムの片面に当該表示層を設けた場合の実施例を示す断面図、
図３Ｃは、背面側となる着色透明プラスチックフィルムと中間層プラスチックフィルムの貼り合わせ面と粘着剤塗布側となる着色プラスチックフィルムと中間層プラスチックフィルムの貼り合わせ面の双方に剥離性透明印刷表示層が位置するように中間層のプラスチックフィルムの両面に当該表示層を設けた場合の実施例を示す断面図である。
【図４】背面側となる着色透明プラスチックフィルムと透明または着色透明の中間層プラスチックフィルムと粘着剤塗布側となる着色プラスチックフィルムの３枚をテープ支持体とした本発明封緘用粘着テープの他例を示す実施例であり、
図４Ａは、背面側となる着色透明印刷されたプラスチックフィルムの印刷面と中間層プラスチックフィルムの貼り合わせ面に剥離性透明印刷表示層が位置するように中間層プラスチックフィルムの片面に当該表示層を設けた場合の実施例を示す断面図、
図４Ｂは、粘着剤塗布側となる着色印刷されたプラスチックフィルムの非印刷面と中間層の透明プラスチックフィルムの貼り合わせ面に剥離性透明印刷表示層が位置するように中間層プラスチックフィルムの片面に当該表示層を設けた場合の実施例を示す断面図、
図４Ｃは、背面側となる着色透明プラスチックフィルムと中間層プラスチックフィルムの貼り合わせ面及び粘着剤塗布側となる着色印刷されたプラスチックフィルムの非印刷面と中間層プラスチックフィルムの貼り合わせ面の双方に剥離性透明印刷表示層が位置するように中間層プラスチックフィルムの両面に当該表示層を設けた場合の実施例を示す断面図である。
【図５】被着体からの剥離によって本発明封緘用粘着テープに層間剥離を生じ、該部位に空気層を発現した例を示す図である。
【図６】図５の空気層を発現した本発明封緘用粘着テープを再貼着した例を示す図である。
【図７】被着体からの剥離によって本発明封緘用粘着テープに層間剥離を生じ、該部位に空気層を発現した例を示す図である。
【図８】図７の空気層を発現した本発明封緘用粘着テープを再貼着した例を示す図である。
【符号の説明】
１      着色透明プラスチックＸフィルム
２      接着剤（層）
３      剥離性透明印刷表示層
４      着色プラスチックフィルム
５      粘着剤（層）
６      積層基材（支持体）
７      着色透明プラスチックＹフィルム
７ａ    透明プラスチックＡフィルム
７ｂ    着色透明印刷層
８      着色プラスチックＮフィルム
８ａ    透明プラスチックＢフィルム
８ｂ    着色印刷層
９      透明または着色透明のプラスチックＣフィルム
１０     空気層
１１     被着体
１２     表示形状
【図１】
0004968991.tif 000004
【図２】
0004968991.tif 000005
【図３】
0004968991.tif 000006
【図４】
0004968991.tif 000007
【図５】
0004968991.tif 000008
【図６】
0004968991.tif 000009
【図７】
0004968991.tif 000010
【図８】
0004968991.tif 000011